(57)【要約】【課題】壁貫通式接続と壁非貫通式接続とのどちらにも対応できる成端箱を提供する。【解決手段】ベース部材６の正面６ａ側において箱体８の内外を連通するように箱体８に設けられ、宅側配線５の挿通を受け付ける第２の挿通口としての開口部１８と、ベース部材６にその正面６ａから背面へ貫通して設けられ箱体８の内外を連通し、宅側配線５の挿通を受け付ける第３の挿通口１５とを備える。【選択図】図３
2007114251.tif 000002
【特許請求の範囲】
【請求項１】
ベース部材とこのベース部材の正面側を覆うカバーとを有する箱体と、この箱体に内蔵されたコネクタとを備え、前記箱体の内部で第１及び第２の配線を前記コネクタによって接続する成端箱において、
前記ベース部材の正面側において前記箱体の内外を連通するように前記箱体に設けられ、前記コネクタに接続される前記第１の配線が挿通される第１の挿通口と、
前記ベース部材の正面側において前記箱体の内外を連通するように前記箱体に設けられ、前記コネクタに接続される前記第２の配線の挿通を受け付ける第２の挿通口と、
前記ベース部材にその正面から背面へ貫通して設けられ前記箱体の内外を連通し、前記コネクタに接続される前記第２の配線の挿通を受け付ける第３の挿通口と、
を備えることを特徴とする成端箱。
【請求項２】
前記第１及び第２の挿通口は、前記箱体の下端部において下方に開口して設けられていることを特徴とする請求項１に記載の成端箱。
【請求項３】
前記コネクタは、前記第１の挿通口よりも上方に配設されて下方から前記第１の配線が接続され、
前記第３の挿通口は、上下方向で前記第１の挿通口と前記コネクタとの間に配設されて、前記コネクタに接続される前記第１の配線の背面に対向する対向領域と、この対向領域の右又は左に設けられた前記第２の配線用の配索領域と、を有することを特徴とする請求項２に記載の成端箱。
【請求項４】
前記第１の配線の余長部分を巻回する第１のボビンを備えることを特徴とする請求項１ないし３の何れか一つに記載の成端箱。
【請求項５】
前記第２の配線の余長部分を巻回する第２のボビンを備えることを特徴とする請求項１ないし４の何れか一つに記載の成端箱。
【請求項６】
前記コネクタには、下方に開口し前記第１の配線が接続される第１の接続口と下方に開口し前記第２の配線が接続される第２の接続口とが左右方向に並設されていることを特徴とする請求項１ないし４の何れか一つに記載の成端箱。
【請求項７】
取付壁を介して前記箱体に対峙すると共に取付壁の貫通孔を介して前記第３の挿通口に連通し前記第２の配線が配索される被配索具又は取付壁に対して前記箱体を固定する固定構造を備えることを特徴とする請求項１ないし６の何れか一つに記載の成端箱。
【発明の詳細な説明】
【技術分野】
【０００１】
本発明は、配線同士を接続する成端箱に関する。
【背景技術】
【０００２】
従来、住宅の壁に設置され、光ファイバケーブルなどの配線同士を接続する成端箱が知られている。
【０００３】
このような成端箱として、壁の外側に配索される光ファイバケーブルと壁の内側に配索される光ファイバケーブルとを該成端箱に連通した壁の貫通孔を介して接続（以後、壁貫通式接続という）可能な成端箱がある（例えば、特許文献１参照）。
【０００４】
また、壁の一方の側に配索される２つの光ファイバケーブルを壁の一方の側のみで接続（以後、壁非貫通式接続という）可能な成端箱がある（例えば、特許文献２，３参照）。
【特許文献１】特開２００５−１８９５３１号公報
【特許文献２】特開２００４−１８４６３０号公報
【特許文献３】特開２００２−３６５４４５号公報
【発明の開示】
【発明が解決しようとする課題】
【０００５】
しかしながら、これら従来の成端箱は、壁貫通式接続と壁非貫通式接続とのうちのどちらか一方の方式の配索しかできず、他方の方式の配索には対応できないという問題がある。
【０００６】
そこで、本発明は、壁貫通式接続と壁非貫通式接続とのどちらにも対応できる成端箱を提供することを目的とする。
【課題を解決するための手段】
【０００７】
請求項１に記載の発明は、ベース部材とこのベース部材の正面側を覆うカバーとを有する箱体と、この箱体に内蔵されたコネクタとを備え、前記箱体の内部で第１及び第２の配線を前記コネクタによって接続する成端箱において、前記ベース部材の正面側において前記箱体の内外を連通するように前記箱体に設けられ、前記コネクタに接続される前記第１の配線が挿通される第１の挿通口と、前記ベース部材の正面側において前記箱体の内外を連通するように前記箱体に設けられ、前記コネクタに接続される前記第２の配線の挿通を受け付ける第２の挿通口と、前記ベース部材にその正面から背面へ貫通して設けられ前記箱体の内外を連通し、前記コネクタに接続される前記第２の配線の挿通を受け付ける第３の挿通口と、を備えることを特徴とする。
【０００８】
請求項２に記載の発明は、請求項１に記載の成端箱において、前記第１及び第２の挿通口は、前記箱体の下端部において下方に開口して設けられていることを特徴とする。
【０００９】
請求項３に記載発明は、請求項２に記載の成端箱において、前記コネクタは、前記第１の挿通口よりも上方に配設されて下方から前記第１の配線が接続され、前記第３の挿通口は、上下方向で前記第１の挿通口と前記コネクタとの間に配設されて、前記コネクタに接続される前記第１の配線の背面に対向する対向領域と、この対向領域の右又は左に設けられた前記第２の配線用の配索領域と、を有することを特徴とする。
【００１０】
請求項４に記載の発明は、請求項１ないし３の何れか一つに記載の成端箱において、前記箱体の内部において前記コネクタよりも下方に設けられ、前記第１の配線の余長部分を巻回する第１のボビンを備えることを特徴とする。
【００１１】
請求項５に記載の発明は、請求項１ないし４の何れか一つに記載の成端箱において、前記箱体の内部において前記第３の挿通口よりも上方に配設され、前記第２の配線の余長部分を巻回する第２のボビンを備えることを特徴とする。
【００１２】
請求項６に記載の発明は、請求項１ないし４の何れか一つに記載の成端箱において、前記コネクタには、下方に開口し前記第１の配線が接続される第１の接続口と下方に開口し前記第２の配線が接続される第２の接続口とが左右方向に並設されていることを特徴とする。
【００１３】
請求項７に記載の発明は、請求項１ないし６の何れか一つに記載の成端箱において、取付壁を介して前記箱体に対峙すると共に取付壁の貫通孔を介して前記第３の挿通口に連通し前記第２の配線が配索される被配索具又は取付壁に対して前記箱体を固定する固定構造を備えることを特徴とする。
【発明の効果】
【００１４】
請求項１に記載の発明の成端箱によれば、第２の配線を第２の挿通口又は第３の挿通口に選択的に挿通させることができるので、壁貫通式接続と壁非貫通式接続とのどちらにも対応することができる。
【００１５】
請求項２に記載の発明の成端箱によれば、第１及び第２の挿通口から雨水が箱体内部に浸入することを防止することができる。
【００１６】
請求項３に記載の発明の成端箱によれば、対向領域の右又は左に第２の配索領域が設けられているので、それらを上下位置関係に配置した場合に比べ、箱体の上下方向の長さを短くすることができる。また、第３の挿通口が配索領域の他に対向領域を有するので、その分だけ第３の挿通口が拡大され、第３の挿通口への第２の配線の挿通作業を容易にすることができる。
【００１７】
請求項４に記載の発明の成端箱によれば、第１の配線の余長部分を成端箱に収納することができる。
【００１８】
請求項５に記載の発明の成端箱によれば、第２の配線の余長部分を成端箱に収納することができる。
【００１９】
請求項６に記載の発明の成端箱によれば、コネクタによる第１の配線と第２の配線との接続に要する上下方向の長さを、第１の配線と第２の配線とを上下に接続する場合に比べて短くすることができる。また、コネクタの第１の接続口と第２の接続口とに雨水が侵入することを防止することができる。
【００２０】
請求項７に記載の発明の成端箱によれば、箱体を固定構造によって被配索具又は取付壁に選択的に固定することができるので、箱体を被配索具に固定する構造と箱体を取付壁に固定する構造とが別々に設けられている場合に比べて、成端箱の構成を簡素化することができる。
【発明を実施するための最良の形態】
【００２１】
［第１の実施形態］
本発明の第１の実施形態を図１ないし図８に基づいて説明する。図１及び図２は、本実施形態の成端箱が外壁に取り付けられた状態を示す正面図であり、図１では、壁貫通式接続をする成端箱が示され、図２では、壁非貫通式接続をする成端箱が示されている。
【００２２】
図１及び図２に示すように、本実施形態の成端箱１は、住宅２の取付壁としての外壁３に取り付けられる。この成端箱１は、第１の配線である宅外側配線４と第２の配線である宅側配線５（図３参照）とを壁貫通式接続する使用態様（図１）と、それら宅外側配線４と宅側配線５とを壁非貫通式接続する使用態様（図２）とを選択的にとることが可能である。ここで、第１の配線である宅外側配線４と第２の配線である宅側配線５とは、例えば、光ファイバケーブルである。
【００２３】
図３及び図４は、成端箱１を示す分解斜視図であり、図３では、壁貫通式接続をする成端箱１が示され、図４では、壁非貫通式接続をする成端箱１が示されている。また、図５は、成端箱１のベース部材を示す正面図、図６は、図５におけるＡ−Ａ線に沿った断面図である。
【００２４】
図３ないし図５に示すように、成端箱１は、ベース部材６とカバー７とから構成された箱体８を備えている。箱体８は、その下端部において下方に開口して形成され第１及び第２の挿通口として機能する開口部１８と、ベース部材６に設けられた第３の挿通口１５とを有している。
【００２５】
開口部１８には、後述する第１のボビン１０の左右両側に位置させた左右一対のノックアウト部３３が設けられている。ノックアウト部３３は、開口部１８を閉塞するものであり、左右方向に並列された２つのノックアウト材３３ａによりそれぞれ構成されている。ノックアウト材３３ａは、ベース部材６の正面６ａに立設されており、上下に折り曲げるように力を加えることでベース部材６及び隣のノックアウト材３３ａから分離可能とされている。ノックアウト材３３ａを取り外すことで、ノックアウト材３３ａが存在していた部分の開口部１８が開放され、その部分の開口部１８に宅外側配線４や宅側配線５が挿通可能となる。
【００２６】
また、第１の挿通口は、ベース部材６の正面６ａ側において箱体８の内外を連通し、宅外側配線４が挿通される開口部１８の領域であり、第２の挿通口は、ベース部材６の正面６ａ側において箱体８の内外を連通し、宅側配線５の挿通を受け付ける開口部１８の領域である。また、第３の挿通口１５は、ベース部材６にその正面６ａから背面へ貫通して設けられ箱体８の内外を連通し、宅側配線５の挿通を受け付けるものである。
【００２７】
箱体８の内部には、宅外側配線４と宅側配線５とを接続するコネクタ９と、宅外側配線４の余長部分を巻回する第１のボビン１０と、宅側配線５の余長部分を巻回する第２のボビン１１と、封印用カバー１２とが設けられている。
【００２８】
カバー７は、背面及び下面開口に形成されて、その内部上面に突設された上凸部７ａと、左右の内面に突設された一対の側凸部７ｂとが設けられている。これらの上凸部７ａと側凸部７ｂとは、カバー７をベース部材６に取り付けるためのものである。このカバー７は、ベース部材６に取り付けられた状態でベース部材６の正面６ａを覆う。
【００２９】
ベース部材６の正面６ａには、正面６ａの縁部に立設されたカバー取付部１６、正面６ａの下端部に配置された第１のボビン１０、この第１のボビン１０の上方に配置された第３の挿通口１５、この第３の挿通口１５の上方に配置されてコネクタ９が取り付けられる左右一対のコネクタ取付部１７、これらのコネクタ取付部１７の上方に配置された第２のボビン１１等が設けられている。このベース部材６は、左右対称に形成されている。
【００３０】
図３ないし図６に示すように、カバー取付部１６は、上下方向に延在する左右一対のレール部材１６ａと、これらレール部材１６ａの上端部間に水平に架設された横部材１６ｂとから構成されている。これらレール部材１６ａと横部材１６ｂとは、断面Ｌ字状に形成されている。これにより、横部材１６ｂがカバー７の上凸部７ａを着脱自在に係止し、レール部材１６ａがカバー７の側凸部７ｂを着脱自在に係止する。この構造では、カバー７がベース部材６の上方からレール部材１６ａに沿ってスライド移動されることにより、最終的にカバー７がカバー取付部１６に係止され、カバー７がベース部材６に取り付けられる。また、この構造では、カバー７とベース部材６との間に上方から雨水が侵入した場合には、その雨水は、カバー取付部１６とベース部材６とにより形成された凹部２５（図６）を伝わって箱体８の下部に到達し、箱体８の外部に排水されるようになっている。この構造により、箱体８の内部に配置される宅外側配線４、宅側配線５、コネクタ９などを防水している。
【００３１】
第１のボビン１０は、ベース部材６に一体形成された板部１０ａと、この板部１０ａに立設された半円筒状の巻回部１０ｂと、この巻回部１０ｂの同心円上であって巻回部１０ｂの径方向外側の位置で板部１０ａに立設された半円筒状の規制部１０ｃとを備えている。規制部１０ｃには、その両端部に位置させて一対の切欠き部１０ｄが形成されている。この第１のボビン１０は、巻回部１０ｂの頂部が上側に位置しその両端部が下側に位置するように開口部１８の中央部分に配置されている。そして、この第１のボビン１０の巻回部１０ｂに余長部分が巻回された宅外側配線４は、切欠き部１０ｄを経由して箱体８の内部に導入される。また、巻回部１０ｂに巻回された宅外側配線４の余長部分は、規制部１０ｃによって巻回部１０ｂから外れることが規制される。
【００３２】
第２のボビン１１は、ベース部材６の正面６ａに立設された円筒部１１ａと、この円筒部１１ａの先端部において側方に放射状に延設された規制部１１ｂとから構成されている。この第２のボビン１１は、円筒部１１ａに宅側配線５の余長部分が巻回される。この円筒部１１ａに巻回された宅側配線５の余長部分は、規制部１１ｂによって円筒部１１ａから外れることが規制される。
【００３３】
コネクタ９は、互いに反対方向に開口した２つの接続口９ａ，９ｂを上下に直列に備える雌型コネクタである。上側の接続口９ａは、上側から宅側配線５が接続され、下側の接続口９ｂは、下側から宅外側配線４が接続される。このコネクタ９の両側面の中央部には、フランジ９ｃが突設されている。
【００３４】
コネクタ取付部１７は、ベース部材６の略中央部において左右に一対設けられている。コネクタ取付部１７は、ベース部材６の正面６ａに立設された４つの凸部１７ａから構成され、これらの凸部１７ａの間にコネクタ９のフランジ９ｃを含む部分が嵌合される。この嵌合によって、コネクタ９がベース部材６の略中央部に位置決めされる。即ち、コネクタ９が第１の挿通口として機能する開口部１８よりも上方に位置決めされる。ここで、コネクタ９をベース部材６の略中央部に配置している理由は、開口部１８からコネクタ９を離間させた位置にすることにより、コネクタ９の防水性を向上させるためである。
【００３５】
これらのコネクタ取付部１７は、どちらか一方にコネクタ９が選択的に取り付けられるものであり、他方は、コネクタ９が取り付けられず、宅側配線５の配索空間を提供するようになっている。そして、このようにコネクタ取付部１７に配索された宅側配線５は、固定部材３１によってベース部材６に固定される。ここで、コネクタ取付部１７部分のベース部材６には、固定部材３１と嵌合する嵌合孔１９が設けられている。この嵌合孔１９は、ベース部材６において、コネクタ取付部１７部分の他に、開口部１８の近傍にも左右に一対設けられている。
【００３６】
このように、本実施形態では、コネクタ９が左右のコネクタ取付部１７のどちらか一方に選択的に取り付け可能であることにより、左側のコネクタ取付部１７にコネクタ９が取り付けられた場合には、宅外側配線４は、開口部１８の左領域１３に挿通され、宅側配線５は、開口部１８の右領域１４又は第３の挿通口１５の右領域１５ａに挿通される（図３又は図４）。したがって、この場合には、開口部１８の左領域１３が第１の挿通口として機能し、開口部１８の右領域１４が第２の挿通口として機能する。これとは逆に、右側のコネクタ取付部１７にコネクタ９が取り付けられた場合には（図示せず）、宅外側配線４は、開口部１８の右領域１４に挿通され、宅側配線５は、開口部１８の左領域１３に挿通又は第３の挿通口１５の左領域１５ｂに挿通される。したがって、この場合には、開口部１８の右領域１４が第１の挿通口として機能し、開口部１８の左領域１３が第２の挿通口として機能する。
【００３７】
前述した第３の挿通口１５は、正面視矩形状に形成されており、上下方向で開口部１８とコネクタ９との間に配設されている。この第３の挿通口１５の上部中央部には、コネクタ取付部１７間に形成された拡張部３０が連接されている。これにより、作業者にとってベース部材６の裏側が見やすくなり、配索作業の容易化が図られる。
【００３８】
第３の挿通口１５は、コネクタ９に接続される宅外側配線４の背面に対向する対向領域と、この対向領域の右又は左に設けられた宅側配線５用の配索領域とを有する。詳しくは、コネクタ９が左側のコネクタ取付部１７に取り付けられた場合には、第３の挿通口１５の左領域１５ｂが対向領域となり、右領域１５ａが配索領域となる。一方、コネクタ９が右側のコネクタ取付部１７に取り付けられた場合（図示せず）には、第３の挿通口１５の左領域１５ｂが配索領域となり、右領域１５ａが対向領域となる。
【００３９】
また、ベース部材６には、上下一対のネジ孔２０が設けられている。そして、これらネジ孔２０に挿通されたネジ２１によって、ベース部材６が、防水パッキン３２を介して、壁貫通式接続の場合には被配索具２２に固定され（図３）、壁非貫通式接続の場合には外壁３に固定される（図４）。ここで、ネジ孔２０及びネジ２１は、ベース部材６を被配索具２２又は外壁３に固定する固定構造２４を構成している。ネジ２１は、壁貫通式接続の場合は、ネジ部径が一定なネジが採用され、壁非貫通式接続の場合は、木ネジが採用されている。
【００４０】
防水パッキン３２は、ゴム製であり、ベース部材６の背面の縁部に設けられ、外壁３上の雨水がベース部材６の第３の挿通口１５や外壁３の貫通孔３ａに入り込むのが防止している。
【００４１】
被配索具２２は、外壁３を介して箱体８に対峙すると共に外壁３の貫通孔３ａを介して第３の挿通口１５に連通し、宅側配線５が配索されるものである。この被配索具２２は、内部に宅側配線５の余長部分を収納可能に形成されている。被配索具２２には、外壁３の貫通孔３ａ及び第３の挿通口１５に連通する開口部２２ａと、ネジ２１に螺合される雌ネジ部２２ｂとが形成されている。
【００４２】
図７は、封印用カバー１２が宅側配線５側に取り付けられた状態の成端箱１の内部構造を示す正面図、図８は、封印用カバー１２が宅外側配線４側に取り付けられた状態の成端箱１の内部構造を示す正面図である。
【００４３】
封印用カバー１２は、図３，図７及び図８に示すように、コネクタ９に先に接続された方の配線（宅外側配線４又は宅側配線５）とコネクタ９との接続部分を覆うものである。封印用カバー１２は、板部材１２ａとこの板部材１２ａの背面の４隅に突設された脚部１２ｂとから構成されており、脚部１２ｂがベース部材６の係止孔２３（図５参照）に係止されることによりベース部材６に固定される。封印用カバー１２としては、宅側配線５とコネクタ９との接続部分を覆う封印用カバー１２Ａ（図７）と、宅外側配線４とコネクタ９との接続部分を覆おう封印用カバー１２Ｂ（図８）とがある。
【００４４】
次に、成端箱１による宅外側配線４と宅側配線５との接続手順の一例を説明する。この例は、宅外側配線４の配索作業と宅側配線５の配索作業とが異なる施工業者によってなされる場合であって、コネクタ９が左側のコネクタ取付部１７に取り付けられた場合への適用例である。
【００４５】
宅側配線５の配索作業の作業工程を説明する。まず、カバー７が取り付けられていない状態のベース部材６を、壁貫通式接続の場合には被配索具２２にネジ２１によって固定し、壁非貫通式接続の場合には外壁３にネジ２１によって固定する。次に、宅側配線５を、壁貫通式接続の場合には第３の挿通口１５からベース部材６の正面６ａ側に引き込み、壁非貫通式接続の場合には開口部１８における右領域１４（第２の挿通口）からベース部材６の正面６ａ上に引き込む。このときは、開口部１８における右領域１４に位置するノックアウト材３３ａを予め取り外しておく。そして、宅側配線５に余長部分がある場合にはその余長部分を第２のボビン１１に巻回する。そして、コネクタ９の宅側配線５用の接続口９ａに、宅側配線５の配線側コネクタ５ａを接続する。次に、宅側配線５を固定部材３１によってベース部材６に固定する。次に、宅側配線５用の封印用カバー１２Ａをベース部材６に取り付け、この封印用カバー１２Ａを封印する。この封印により、宅側配線５の配索が完了したことが示される。そして、カバー７をベース部材６に取り付ける。
【００４６】
次に、宅外側配線４の配索作業の作業工程を説明する。まず、ベース部材６からカバー７を取外す。そして、開口部１８の左領域１３に位置するノックアウト材３３ａを取り外す。次に、開口部１８の左領域１３（第１の挿通口）から宅外側配線４をベース部材６の正面６ａ上に引き込み、宅外側配線４の余長部分がある場合には、その余長部分を第１のボビン１０に巻回する。そして、宅外側配線４の配線側コネクタ４ａを、コネクタ９の宅外側配線４用の接続口９ｂに接続する。これにより、コネクタ９によって、宅外側配線４と宅側配線５とが接続される。そして、カバー７をベース部材６に取り付けて作業を完了する。
【００４７】
以上説明したように、本実施形態の成端箱１によれば、ベース部材６の正面６ａ側において箱体８の内外を連通するように箱体８に設けられ、宅側配線５の挿通を受け付ける第２の挿通口である開口部１８と、ベース部材６にその正面６ａから背面へ貫通して設けられ箱体８の内外を連通し、宅側配線５の挿通を受け付ける第３の挿通口１５とを備えることにより、宅側配線５を開口部１８又は第３の挿通口１５に選択的に挿通させることができるので、壁貫通式接続と壁非貫式接続とのどちらにも対応することができる。
【００４８】
また、本実施形態の成端箱１によれば、第１及び第２の挿通口としての開口部１８が、箱体８の下端部において下方に開口して設けられていることにより、開口部１８から雨水が箱体８内部に浸入することを防止することができる。
【００４９】
また、本実施形態の成端箱１によれば、第３の挿通口１５は、上下方向で第１の挿通口としての開口部１８とコネクタ９との間に配設されて、コネクタ９に接続される宅外側配線４の背面に対向する対向領域（右領域１５ａ又は左領域１５ｂ）と、この対向領域の右又は左に設けられた宅側配線５用の配索領域（左領域１５ｂ又は右領域１５ａ）と、を有することにより、対向領域と配索領域とが上下位置関係に配置されている場合に比べ、箱体８の上下方向の長さを短くすることができる。また、第３の挿通口１５が配索領域の他に対向領域を有するので、その分だけ第３の挿通口１５が拡大され、第３の挿通口１５に対する宅側配線５の挿通作業を容易にすることができる。また、このように第３の挿通口１５を拡大する部分として、宅外側配線４の背面に対向する対向領域を用いているので、箱体８の増大化を抑制しつつ第３の挿通口１５を拡大することができる。
【００５０】
また、本実施形態の成端箱１によれば、宅外側配線４の余長部分を巻回する第１のボビン１０を備えることにより、宅外側配線４の余長部分を成端箱１に収納することができる。
【００５１】
また、本実施形態の成端箱１によれば、宅側配線５の余長部分を巻回する第２のボビン１１を備えることにより、宅側配線５の余長部分を成端箱１に収納することができる。
【００５２】
また、本実施形態の成端箱１によれば、被配索具２２又は外壁３に対して箱体８を固定する固定構造２４を備えることにより、箱体８を固定構造２４によって選択的に被配索具２２又は外壁３に固定することができるので、箱体８を被配索具２２に固定する構造と箱体８を外壁３に固定する構造とが別々に設けられている場合に比べて、成端箱１の構成を簡素化することができる。
【００５３】
また、本実施形態の成端箱１によれば、開口部１８にノックアウト部３３が設けられていることにより、開口部１８のうち配索に必要な部分だけを選択的に開放することがきるので、開口部１８の開放領域を小さくすることができる。よって、開口部１８から箱体８内部に虫などが入り込むことを防止することができる。
【００５４】
［第２の実施形態］
次に、本発明の第２の実施形態を図９ないし図１１に基づいて説明する。前述した第１の実施形態と同じ部分は、同一符号で示し説明も省略する。図９は、本実施形態の成端箱を示す分解斜視図、図１０は、封印用カバーが宅外側配線側に取り付けられた状態の成端箱の内部構造を示す正面図、図１１は、封印用カバーが宅側配線側に取り付けられた状態の成端箱の内部構造を示す正面図である。
【００５５】
図９ないし図１１に示すように、本実施形態の成端箱１Ａは、コネクタ９Ａ等が第１の実施形態に対して異なる。本実施形態のコネクタ９Ａは、左右方向に並設された２つのコネクタ４１と、これらのコネクタ４１を接続する接続線４２とから構成されている。
【００５６】
コネクタ４１は、互いに反対方向に開口した２つの接続口４１ａ，４１ｂを上下に直列に備える雌型コネクタであり、上側の接続口４１ｂ同士が接続線４２によって接続されている。これらコネクタ４１が有する下方に開口した下側の接続口４１ａは、左右方向に並設されている。そして、これらの下側の接続口４１ａのうち、左側の接続口４１ａは、宅外側配線４が下方から接続される第１の接続口とされ、右側の接続口４１ａは、宅側配線５が下方から接続される第２の接続口とされている。接続線４２としては、例えば、ホーリーファイバー（Holey Fiber）の一種である空孔アシスト型ファイバー（HAF:Hole Assisted Fiber）が、その限界曲げ半径が比較的小さいので、好適である。
【００５７】
また、本実施形態では、第１の実施形態で説明した第２のボビン１１は設けられていない。また、宅外側配線４とコネクタ９Ａとの接続部分を覆う封印用カバー１２Ｃ（図１０）と、宅側配線５とコネクタ９Ａとの接続部分を覆う封印用カバー１２Ｄ（図１１）とは、コネクタ９Ａの上部、即ち、上側の接続口４１ｂと接続線４２との接続部も覆う形状に形成されている。
【００５８】
このような構成の成端箱１Ａによれば、コネクタ９Ａには、宅外側配線４が下方から接続される左側の接続口４１ａ（第１の接続口）と宅側配線５が下方から接続される右側の接続口４１ａ（第２の接続口）とが左右方向に沿って並設されていることにより、コネクタ９Ａによる宅外側配線４と宅側配線５との接続に要する上下方向の長さを、宅外側配線４と宅側配線５とを上下に接続する場合に比べて、短くすることができる。また、コネクタ９Ａの左右の接続口４１ａが下方に開口していることにより、それら接続口４１ａに雨水が侵入することを防止することができる。
【００５９】
また、接続線４２として、空孔アシスト型ファイバーを用いることにより、接続線４２の曲げ半径を比較的小さくすることができるので、コネクタ４１間の距離を短くでき、また、成端箱１Ａの上下方向の長さを短くすることができる。
【００６０】
なお、本発明は、本実施形態に限ることなく本発明の要旨を逸脱しない範囲で他の実施形態を各種採用することができる。
【図面の簡単な説明】
【００６１】
【図１】本発明の第１の実施形態の成端箱が外壁に取り付けられた状態を示す正面図である。
【図２】成端箱が外壁に取り付けられた状態を示す正面図である。
【図３】成端箱を示す分解斜視図である。
【図４】成端箱を示す分解斜視図である。
【図５】成端箱のベース部材を示す正面図である。
【図６】図５におけるＡ−Ａ線に沿った断面図である。
【図７】封印用カバーが宅側配線側に取り付けられた状態の成端箱の内部構造を示す正面図である。
【図８】封印用カバーが宅外側配線側に取り付けられた状態の成端箱の内部構造を示す正面図である。
【図９】本発明の第２の実施形態の成端箱を示す分解斜視図である。
【図１０】封印用カバーが宅外側配線側に取り付けられた状態の成端箱の内部構造を示す正面図である。
【図１１】封印用カバーが宅側配線側に取り付けられた状態の成端箱の内部構造を示す正面図である。
【符号の説明】
【００６２】
１      成端箱
１Ａ    成端箱
３      外壁（取付壁）
３ａ    貫通孔
４      宅外側配線（第１の配線）
５      宅側配線（第２の配線）
６      ベース部材
７      カバー
８      箱体
９      コネクタ
９Ａ    コネクタ
１０    第１のボビン
１１    第２のボビン
１５    第３の挿通口
１５ａ  右領域（対向領域又は配索領域）
１５ｂ  左領域（配索領域又は配索領域）
１８    開口部（第１の挿通口，第２の挿通口）
２２    被配索具
２４    固定構造
【図１】
2007114251.tif 000003
【図２】
2007114251.tif 000004
【図３】
2007114251.tif 000005
【図４】
2007114251.tif 000006
【図５】
2007114251.tif 000007
【図６】
2007114251.tif 000008
【図７】
2007114251.tif 000009
【図８】
2007114251.tif 000010
【図９】
2007114251.tif 000011
【図１０】
2007114251.tif 000012
【図１１】
2007114251.tif 000013